(57)【要約】【課題】省スペース化が図られるとともに、比較的大型のエアコン室外機に対してもその設置が容易に行なわれるエアコン室外機の置台と、そのようなエアコン室外機の置台を用いたエアコン室外機の設置方法を提供する。【解決手段】一のエアコン室外機が載置される下段が、横フレーム４ａ、４ｂ、縦フレーム６ａ、６ｂおよび１対のベース８ａ、８ｂによって構成され、他のエアコン室外機が載置される上段が、横フレーム４ｃ、４ｄ、縦フレーム６ｃ、６ｄおよび１対のベース８ｃ、８ｄによって構成される。下段と上段は４本の支柱２ａ〜２ｄによって支持されている。４本の支柱２ａ〜２ｄのうち、１本の支柱２ａが、他の３本の支柱２ｂ〜２ｄよりも短い下段支柱２２と継足し用支柱３２とから構成されている。【選択図】　　　　図１
2004125195.tif 000002
【特許請求の範囲】
【請求項１】
一のエアコン室外機が載置される第１載置部（４ａ，４ｂ，６ａ，６ｂ，８ａ，８ｂ）と、
前記第１載置部（４ａ，４ｂ，６ａ，６ｂ，８ａ，８ｂ）の上方に距離を隔てて配設され、他のエアコン室外機が載置される第２載置部（４ｃ，４ｄ，６ｃ，６ｄ，８ｃ，８ｄ）と、
それぞれ立設して前記第１載置部（４ａ，４ｂ，６ａ，６ｂ，８ａ，８ｂ）および前記第２載置部（４ｃ，４ｄ，６ｃ，６ｄ，８ｃ，８ｄ）を支持する複数の支柱（２ａ，２ｂ，２ｃ，２ｄ）と
を有し、
前記複数の支柱（２ａ，２ｂ，２ｃ，２ｄ）のうち少なくとも１つの支柱（２ａ）は、
前記第１載置部（４ａ，４ｂ，６ａ，６ｂ，８ａ，８ｂ）を支持し、他の残りの支柱（２ｂ，２ｃ，２ｄ）よりも短い下段支柱（２２）と、
前記下段支柱（２２）に上方に向かって継足されて、前記第２載置部（４ｃ，４ｄ，６ｃ，６ｄ，８ｃ，８ｄ）を支持する継足し用支柱（３２）と
を備えた、エアコン室外機の置台。
【請求項２】
前記下段支柱（２２）はボルトが挿通される開口部（２２ａ）を含み、
前記継足し用支柱（３２）は前記開口部（２２ａ）に嵌合する突出部（３２ｂ）を含む、請求項１記載のエアコン室外機の置台。
【請求項３】
前記継足し用支柱（３２）は、前記下段支柱（２２）の上端に沿って当接する段差部（３２ｃ）を含む、請求項１または２に記載のエアコン室外機の置台。
【請求項４】
エアコン室外機の奥行き方向に沿って位置する支柱（２ａ，２ｂ，２ｃ，２ｄ）間の間隔（Ｄ）は、エアコン室外機の奥行き寸法よりも長く設定された、請求項１〜３のいずれかに記載のエアコン室外機の置台。
【請求項５】
前記第１載置部（４ａ，４ｂ，６ａ，６ｂ，８ａ，８ｂ）および前記第２載置部（４ｃ，４ｄ，６ｃ，６ｄ，８ｃ，８ｄ）は、エアコン室外機の脚が直接固定されるベース（８ａ，８ｂ，８ｃ，８ｄ）をそれぞれ含み、
エアコン室外機の奥行き方向と略直交する幅方向に対応する前記第１載置部（４ａ，４ｂ，６ａ，６ｂ，８ａ，８ｂ）および前記第２載置部（４ｃ，４ｄ，６ｃ，６ｄ，８ｃ，８ｄ）の寸法（Ｗ）は、エアコン室外機の幅よりも短く設定された、請求項４記載のエアコン室外機の置台。
【請求項６】
上下方向に配設されてエアコン室外機がそれぞれ載置される第１載置部（４ａ，４ｂ，６ａ，６ｂ，８ａ，８ｂ）および第２載置部（４ｃ，４ｄ，６ｃ，６ｄ，８ｃ，８ｄ）を支持する複数の支柱（２ａ，２ｂ，２ｃ，２ｄ）のうちの少なくとも１本の支柱（２ａ）が、他の残りの支柱（２ｂ，２ｃ，２ｄ）よりも短い下段支柱（２２）と、その下段支柱（２２）に上方に向かって継足される継足し用支柱（３２）とを有するエアコン室外機置台を用いたエアコン室外機の設置方法であって、
前記下段支柱（２２）を含む前記複数の支柱（２ａ，２ｂ，２ｃ，２ｄ）によって前記第１載置部（４ａ，４ｂ，６ａ，６ｂ，８ａ，８ｂ）を支持する第１支持工程と、
前記第１載置部（４ａ，４ｂ，６ａ，６ｂ，８ａ，８ｂ）に一のエアコン室外機を設置する設置工程と、
前記複数の支柱（２ａ，２ｂ，２ｃ，２ｄ）によって前記第１載置部（４ａ，４ｂ，６ａ，６ｂ，８ａ，８ｂ）の上方に前記第２載置部（４ｃ，４ｄ，６ｃ，６ｄ，８ｃ，８ｄ）を支持する第２支持工程と、
前記継足し用支柱（３２）の下部側を前記下段支柱（２２）に固定する下部側固定工程と、
前記継足し用支柱（３２）の上部側を前記第２載置部（４ｃ，４ｄ，６ｃ，６ｄ，８ｃ，８ｄ）に固定する上部側固定工程と
を有し、
前記設置工程は、前記第１支持工程にて前記下段支柱（２２）が前記第１載置部（４ａ，４ｂ，６ａ，６ｂ，８ａ，８ｂ）に固定された後前記下部側固定工程の前に、前記下段支柱（２２）が位置する側から一のエアコン室外機を前記第１載置部（４ａ，４ｂ，６ａ，６ｂ，８ａ，８ｂ）に導入して載置する工程を備えた、エアコン室外機の設置方法。
【請求項７】
前記設置工程の後に、前記第２支持工程、前記下部側固定工程および前記上部側固定工程が行なわれる、請求項６記載のエアコン室外機の設置方法。
【請求項８】
前記第１支持工程の後に前記第２支持工程が行なわれ、
前記第２支持工程の後に前記設置工程が行なわれ、
前記設置工程の後に前記下部側固定工程および前記上部側固定工程が行なわれる、請求項６記載のエアコン室外機の設置方法。
【発明の詳細な説明】
【０００１】
【発明の属する技術分野】
本発明は、エアコン室外機の置台およびこれを用いたエアコン室外機の設置方法に関し、特に、省スペース化に対応するエアコン室外機の置台と、その置台を用いたエアコン室外機の設置方法に関するものである。
【０００２】
【従来の技術】
エアコン室外機を屋外に設置する際に室外機置台が使われる。そのような従来の室外機置台の一例として、たとえば特開２００２−８９８８８号公報に記載された室外機置台に基づいて説明する。
【０００３】
図１５に示すように、従来の室外機置台では、所定の間隔をおいて平行に立設された２本の支柱１０２ａ、１０２ｃの間をわたすように２本の縦フレーム１０６ａ、１０６ｃが、支柱１０２ａ、１０２ｃの下部と上部とにそれぞれ取付けられている。同様に、２本の支柱１０２ｂ、１０２ｄの間をわたすように２本の縦フレーム１０６ｂ、１０６ｄが、支柱１０２ｂ、１０２ｄの下部と上部とにそれぞれ取付けられている。
【０００４】
また、支柱１０２ａ、１０２ｂの間をわたすように、２本の横フレーム１０４ａ、１０４ｃが、支柱１０２ａ、１０２ｂの下部と上部とにそれぞれ取付けられている。さらに、支柱１０２ｃ、１０２ｄの間をわたすように２本の横フレーム１０４ｂ、１０４ｄが、支柱１０２ｃ、１０２ｄの下部と上部とにそれぞれ取付けられている。
【０００５】
また、横フレーム１０４ａ、１０４ｂの間をわたすように１対のベース１０８ａ、１０８ｂが配置されている。下段に設置されるエアコン室外機の脚は、この１対のベース１０８ａ、１０８ｂ上に載置されることになる。
【０００６】
さらに、横フレーム１０４ｃ、１０４ｄの間をわたすように１対のベース１０８ｃ、１０８ｄが配置されている。上段に設置されるエアコン室外機の脚は、この１対のベース１０８ｃ、１０８ｄ上に載置されることになる。従来のエアコン室外機の置台は上記のように構成されていた。
【０００７】
【特許文献】
特開２００２−８９８８８号公報（第２頁〜第７頁、図６）
【０００８】
【発明が解決しようとする課題】
しかしながら、上述した従来のエアコン室外機の置台では以下に示すような問題点があった。エアコン室外機の置台の設置スペースの省スペース化を図るために、エアコン室外機の置台の寸法を小さくしようとすると、図１６に示すように、下段にエアコン室外機１５１を設置する際に、エアコン室外機１５１を傾けながら支柱１０２ａ〜１０２ｄに接触させないように作業を行なうことになる。
【０００９】
そのため、エアコン室外機と支柱との位置関係に気を使いながら作業を行なうことになって、エアコン室外機の設置作業に時間を要することになる。
【００１０】
また、エアコン室外機１５１を傾けながら設置するにしても、支柱１０２ａ〜１０２ｄに接触させないようにするにはエアコン室外機の置台の寸法に限界がある。そして、エアコン室外機の置台の寸法が制約されることで、より大型のエアコン室外機を設置することができなくなる。
【００１１】
一方、エアコン室外機の設置作業を容易にしようとして、エアコン室外機の置台の寸法を大きくすると、省スペース化を図ることができなくなる。
【００１２】
本発明は、上記問題点を解決するためになされたものであり、１つの目的は省スペース化が図られるとともに、比較的大型のエアコン室外機に対してもその設置が容易に行なわれるエアコン室外機の置台を提供することであり、他の目的はそのようなエアコン室外機の置台を用いたエアコン室外機の設置方法を提供することである。
【００１３】
【課題を解決するための手段】
請求項１に記載されたエアコン室外機の置台は、第１載置部と第２載置部と複数の支柱とを有している。第１載置部には一のエアコン室外機が載置される。第２載置部は、第１載置部の上方に距離を隔てて配設され、他のエアコン室外機が載置される。複数の支柱は、それぞれ立設して第１載置部および第２載置部を支持している。その複数の支柱のうち少なくとも１つの支柱は、第１載置部を支持し他の残りの支柱よりも短い下段支柱と、その下段支柱に上方に向かって継足されて第２載置部を支持する継足し用支柱とを備えている。
【００１４】
請求項１に記載されたエアコン室外機の置台によれば、複数の支柱のうち、少なくとも１本の支柱が、他の残りの支柱よりも短い下段支柱と、継足し用支柱とを備えていることによって、第１載置部にエアコン室外機を設置する際に、作業者が下段支柱が位置する側からエアコン室外機を導入することによって、設置スペースが限られたところでもエアコン室外機を他の支柱に接触させることなく容易に第１載置部に設置することができる。
【００１５】
請求項２に記載されたエアコン室外機の置台では、下段支柱はボルトが挿通される開口部を含み、継足し用支柱は開口部に嵌合する突出部を含んでいる。
【００１６】
請求項２に記載されたエアコン室外機の置台によれば、継足し用支柱を下段支柱に固定する際に、突出部が開口部に嵌め込まれることによってその位置合わせを容易に行うことができる。
【００１７】
請求項３に記載されたエアコン室外機の置台では、継足し用支柱は、下段支柱の上端に沿って当接する段差部を含んでいる。
【００１８】
請求項３に記載されたエアコン室外機の置台によれば、段差部が下段支柱の上端に当接して、継足し用支柱を下段支柱に取り付ける際の位置合わせがさらに容易になる。
【００１９】
請求項４に記載されたエアコン室外機の置台では、エアコン室外機の奥行き方向に沿って位置する支柱間の間隔は、エアコン室外機の奥行き寸法よりも長く設定されている。
【００２０】
請求項５に記載されたエアコン室外機の置台では、第１載置部および第２載置部は、エアコン室外機の脚が直接固定されるベースをそれぞれ含み、エアコン室外機の奥行き方向と略直交する幅方向に対応する第１載置部および第２載置部の寸法は、エアコン室外機の幅よりも短く設定されている。
【００２１】
請求項４および請求項５に記載されたエアコン室外機の置台によれば、支柱に邪魔されることなく第１載置部および第２載置部の幅方向の寸法よりも長い比較的大型のエアコン室外機を載置することができるとともに、そのようなエアコン室外機が設置されるエアコン室外機の置台を限られたスペース内に設置することができる。また、作業領域も確保されて組立て設置作業も比較的容易に行なうことができる。
【００２２】
請求項６に記載されたエアコン室外機の設置方法は、上下方向に配設されてエアコン室外機がそれぞれ載置される第１載置部および第２載置部を支持する複数の支柱のうちの少なくとも１本の支柱が、他の残りの支柱よりも短い下段支柱と、その下段支柱に上方に向かって継足される継足し用支柱とを有するエアコン室外機置台を用いたエアコン室外機の設置方法であって、第１支持工程と設置工程と第２支持工程と下部側固定工程と上部側固定工程とを有している。第１支持工程では、下段支柱を含む複数の支柱によって第１載置部が支持される。設置工程では、第１載置部に一のエアコン室外機が設置される。第２支持工程では、複数の支柱によって第１載置部の上方に第２載置部が支持される。下部側固定工程では、継足し用支柱の下部側が下段支柱に固定される。上部側固定工程では、継足し用支柱の上部側が第２載置部に固定される。特に、設置工程は、第１支持工程にて下段支柱が第１載置部に固定された後下部側固定工程の前に、下段支柱が位置する側から一のエアコン室外機を第１載置部に導入して載置する工程を備えている。
【００２３】
請求項６に記載されたエアコン室外機の設置方法によれば、設置工程が、第１支持工程にて下段支柱が第１載置部に固定された後下部側固定工程の前に、下段支柱が位置する側から一のエアコン室外機を第１載置部に導入して載置する工程を備えていることによって、設置スペースが限られたところでもエアコン室外機を他の支柱に接触させることなく容易に第１載置部に設置することができる。
【００２４】
請求項７に記載されたエアコン室外機の設置方法では、設置工程の後に、第２支持工程、下部側固定工程および上部側固定工程が行なわれる。
【００２５】
請求項７に記載されたエアコン室外機の設置方法によれば、エアコン室外機を第１載置部に導入する際に、まだ第２載置部と継足し用支柱が取付けられていないので、エアコン室外機を第１載置部に設置する作業をより容易に行なうことができる。
【００２６】
請求項８に記載されたエアコン室外機の設置方法では、第１支持工程の後に第２支持工程が行なわれ、第２支持工程の後に設置工程が行なわれ、設置工程の後に下部側固定工程および上部側固定工程が行なわれる。
【００２７】
請求項８に記載されたエアコン室外機の設置方法によれば、エアコン室外機を第１載置部に導入する際に第２載置部が取り付けられているものの、継足し用支柱はまだ取付けられていないので、従来の場合と比べるとエアコン室外機を第１載置部に設置する作業を容易に行なうことができる。
【００２８】
【発明の実施の形態】
本発明の実施の形態に係るエアコン室外機の置台について説明する。図１に示すように、本エアコン室外機の置台では、エアコン室外機がそれぞれ載置される下段と上段が４本の支柱によって支持されている。
【００２９】
まず、所定の間隔をおいて平行に立設された２本の支柱２ａ、２ｃの間をわたすように２本の縦フレーム６ａ、６ｃが、支柱２ａ、２ｃの下部と上部とにそれぞれ取付けられている。同様に、２本の支柱２ｂ、２ｄの間をわたすように２本の縦フレーム６ｂ、６ｄが、支柱２ｂ、２ｄの下部と上部とにそれぞれ取付けられている。
【００３０】
また、支柱２ａ、２ｂの間をわたすように２本の横フレーム４ａ、４ｃが、支柱２ａ、２ｂの下部と上部とにそれぞれ取付けられている。さらに、支柱２ｃ、２ｄの間をわたすように２本の横フレーム４ｂ、４ｄが、支柱２ｃ、２ｄの下部と上部とにそれぞれ取付けられている。
【００３１】
また、横フレーム４ａ、４ｂの間をわたすように１対のベース８ａ、８ｂが配置されている。さらに、横フレーム４ｃ、４ｄの間をわたすように１対のベース８ｃ、８ｄが配置されている。
【００３２】
１台目のエアコン室外機は、横フレーム４ａ、４ｂ、縦フレーム６ａ、６ｂおよび１対のベース８ａ、８ｂによって構成される下段に設置される。特に、エアコン室外機の脚が１対のベース８ａ、８ｂ上に吸振材（図示せず）を介して載置される。
【００３３】
また、２台目のエアコン室外機は、横フレーム４ｃ、４ｄ、縦フレーム６ｃ、６ｄおよび１対のベース８ｃ、８ｄによって構成される上段に設置される。下段と同様に、エアコン室外機の脚が１対のベース８ｃ、８ｄ上に載置される。
【００３４】
特に本エアコン室外機の置台では、４本の支柱２ａ〜２ｄのうち、少なくとも１本の支柱２ａが、他の３本の支柱２ｂ〜２ｄよりも短い下段支柱２２と継足し用支柱３２とから構成されている。
【００３５】
このように、１本の支柱２ａが、より短い下段支柱２２と継足し用支柱３２とから構成されていることで、後述するように、下段にエアコン室外機を設置する際に支柱に接触することなくより容易に設置作業を行うことができる。
【００３６】
次に、上述したエアコン室外機の置台を用いたエアコン室外機の設置方法について具体的に説明する。まず、図１に示すように、２本の支柱２ａ、２ｃの間をわたすように、縦フレーム６ａの両端部が支柱２ａ、２ｃにそれぞれ取り付けられて、ボルト１０ａによって仮止めされる。次に、２本の支柱２ｂ、２ｄの間をわたすように、縦フレーム６ｂの両端部が支柱２ｂ、２ｄにそれぞれ取り付けられて、ボルト１０ａによって仮止めされる。
【００３７】
同様にして、２本の支柱２ａ、２ｂの間をわたすように、横フレーム４ａの両端部が支柱２ａ、２ｂにそれぞれ取り付けられ、さらに、２本の支柱２ｃ、２ｄの間をわたすように横フレーム４ｂの両端が支柱２ｃ、２ｄのそれぞれに取り付けられる。その後、横フレーム４ａ、４ｂおよび縦フレーム６ａ、６ｂが、ボルト１０ａによりそれぞれ支柱２２、２ｂ〜２ｄに固定される。
【００３８】
なお、この場合、横フレーム４ａ、４ｂおよび縦フレーム６ａ、６ｂをあらかじめ矩形形状に組上げた後に、その矩形の４隅のそれぞれを支柱２２、２ｂ〜２ｄにボルト１０ａによってそれぞれ固定するようにしてもよい。
【００３９】
次に、図２に示すように、ベース８ｂの一端がボルト１２ａとナット１２ｂによって横フレーム４ａに固定される。ベース８ｂの他端（図示せず）は横フレーム４ｂ（図１参照）に固定される。同様にして、ベース８ａの一端は横フレーム４ａに固定され、その他端は横フレーム４ｂに固定される（図１参照）。
【００４０】
次に、図３に示すように、エアコン室外機の脚が載置される１対のベース８ａ、８ｂが略水平になるように、下段支柱２２，支柱２ｂ〜２ｄの高さ（足の長さ）が調節される。
【００４１】
このようにして、図４に示すように、ベース８ａ、８ｂを含む横フレーム４ａ、４ｂおよび縦フレーム６ａ、６ｂによって構成される下段が、４本の支柱２２、２ｂ〜２ｄによって支持された状態になる。
【００４２】
次に、図５に示すように、作業者６１によって下段支柱２２が位置する側からエアコン室外機５１が運び込まれる。こうすることによって、エアコン室外機５１を支柱２ｂ〜２ｄに接触させることなくエアコン室外機の脚をベース８ａ、８ｂ上に容易に配置させることができる。
【００４３】
次に、図６に示すように、運び込まれたエアコン室外機５１はベース８ａ、８ｂ上に載置されて、所定のボルト（図示せず）によって固定される。
【００４４】
次に、横フレーム４ｃ、４ｄおよび縦フレーム６ｃ、６ｄがあらかじめ矩形形状に組上げられる（図１参照）。その後、図７に示すように、その矩形の４隅のそれぞれが支柱２２、２ｂ〜２ｄにボルト１０ａによってそれぞれ固定される。
【００４５】
なお、このとき、横フレーム４ｃ、４ｄおよび縦フレーム６ｃ、６ｄを個々に支柱２２、２ｂ〜２ｄに固定するようにしてもよい。
【００４６】
このようにして、図８に示すように、下段支柱２２に対応する部分を除いて、横フレーム４ｃ、４ｄおよび縦フレーム６ｃ、６ｄが支柱２ｂ〜２ｄに固定された状態になる。
【００４７】
次に、図９に示すように、継足し用支柱３２の下端部が、所定のボルト１０ａとナット１０ｂによって支柱２２に固定される。次に、図１０に示すように、継足し用支柱３２の上端部が、所定のボルト１０ａ等によって横フレーム４ｃと縦フレーム６ｃに固定される。
【００４８】
これにより、ベース８ｃ、８ｄを含む横フレーム４ｃ、４ｄおよび縦フレーム６ｃ、６ｄによって構成される上段が、４本の支柱２ａ〜２ｄによって支持された状態になる。
【００４９】
次に、２台目のエアコン室外機が上段に運ばれてその脚がベース８ｃ，８ｄに載置されて固定される。以上により、エアコン室外機の置台の組立てを含むエアコン室外機の一連の設置作業が完了する。
【００５０】
上述したエアコン室外機の置台とそれを用いたエアコン室外機の設置方法では、室外機置台を構成する４本の支柱４ａ〜４ｄのうち、１本の支柱２ａが、他の３本の支柱２ｂ〜２ｄよりも短い下段支柱２２と、継足し用支柱３２によって構成されている。
【００５１】
これにより、図５に示すように、下段にエアコン室外機を設置する際に、作業者６１が下段支柱２２が位置する側からエアコン室外機５１を運び込むことによって、設置スペースが限られたところでもエアコン室外機５１を支柱２ｂ〜２ｄに接触させることなく容易に所定の位置に設置することができる。
【００５２】
また、図１１〜図１３に示すように、継足し用支柱３２には、ボルトが挿通される角穴３２ａが設けられている。また、継足し用支柱３２には、支柱２２に設けられた長穴２２ａ（図９参照）に嵌め込まれることになる凸部３２ｂが設けられている。さらに、継足し用支柱３２には、支柱２２の上端に当接する段差部３２ｃが設けられている。
【００５３】
継足し用支柱３２に凸部３２ｂおよび段差部３２ｃが設けられていることによって、図１４に示すように、凸部３２ｂが支柱２２に設けられた長穴２２ａに嵌め込まれるとともに、段差部３２ｃが支柱２２の上端に当接して、継足し用支柱３２を支柱２２に取り付ける際にその位置合わせを容易に行うことができる。
【００５４】
さらに、図１に示すように、エアコン室外機の置台として、奥行き方向の支柱間の距離（間隔）Ｄはエアコン室外機の奥行き寸法よりも大きく設定し、さらに、エアコン室外機の脚ピッチ（Ｐ）を確保して幅方向の支柱間の距離Ｗはエアコン室外機の幅よりも短く設定することが好ましい。
【００５５】
これにより、支柱２ａ〜２ｄに邪魔されることなくエアコン室外機の幅よりも長い比較的大型のエアコン室外機を、下段と上段とにそれぞれ設置することができる。また、そのようなエアコン室外機が設置されるエアコン室外機の置台を限られたスペース内に設置することができる。さらに、作業領域も確保されて組立て設置作業も比較的容易に行なうことができる。
【００５６】
なお、上記実施の形態では、下段と上段を支持する支柱として４本の支柱を例に挙げて説明したが、下段と上段を安定して支持することができれば４本に限られるものではない。
【００５７】
また、４本の支柱のうちの１本の支柱が下段支柱と継足し支柱から構成される場合を例に挙げて説明したが、立設される支柱の本数とその位置関係によって複数の支柱について下段支柱と継足し支柱から構成される支柱を適用してもよい。
【００５８】
さらに、エアコン室外機が設置される段数も下段および上段の２段に限られるものではなく、３段、またはそれ以上の段数の場合についても同様に適用することができる。
【００５９】
また、下段にエアコン室外機の設置した後に上段を設ける場合を例に挙げて説明したが、上段を設けた後に継足し用支柱を継足さない状態でエアコン室外機を下段に設置してもよい。
【００６０】
この場合にも、上段を構成する横フレームおよび縦フレーム等が取り付けられているものの、継足し用支柱がまだ取りつけられていないので、従来の設置方法と比べて容易にエアコン室外機の設置作業をこなうことができる。
【００６１】
今回開示された実施の形態はすべての点で例示であって、制限的なものではないと考えられるべきである。本発明は上記の説明ではなくて特許請求の範囲によって示され、特許請求の範囲と均等の意味および範囲内でのすべての変更が含まれることが意図される。
【００６２】
【発明の効果】
請求項１に記載されたエアコン室外機の置台によれば、複数の支柱のうち、少なくとも１本の支柱が、他の残りの支柱よりも短い下段支柱と、継足し用支柱とを備えていることによって、第１載置部にエアコン室外機を設置する際に、作業者が下段支柱が位置する側からエアコン室外機を導入することによって、設置スペースが限られたところでもエアコン室外機を他の支柱に接触させることなく容易に第１載置部に設置することができる。
【００６３】
請求項２に記載されたエアコン室外機の置台によれば、継足し用支柱を下段支柱に固定する際に、突出部が開口部に嵌め込まれることによってその位置合わせを容易に行うことができる。
【００６４】
請求項３に記載されたエアコン室外機の置台によれば、段差部が下段支柱の上端に当接して、継足し用支柱を下段支柱に取り付ける際の位置合わせがさらに容易になる。
【００６５】
請求項４および請求項５に記載されたエアコン室外機の置台によれば、支柱に邪魔されることなく第１載置部および第２載置部の幅方向の寸法よりも長い比較的大型のエアコン室外機を載置することができるとともに、そのようなエアコン室外機が設置されるエアコン室外機の置台を限られたスペース内に設置することができる。また、作業領域も確保されて組立て設置作業も比較的容易に行なうことができる。
【００６６】
請求項６に記載されたエアコン室外機の設置方法によれば、設置工程が、第１支持工程にて下段支柱が第１載置部に固定された後下部側固定工程の前に、下段支柱が位置する側から一のエアコン室外機を第１載置部に導入して載置する工程を備えていることによって、設置スペースが限られたところでもエアコン室外機を他の支柱に接触させることなく容易に第１載置部に設置することができる。
【００６７】
請求項７に記載されたエアコン室外機の設置方法によれば、エアコン室外機を第１載置部に導入する際に、まだ第２載置部と継足し用支柱が取付けられていないので、エアコン室外機を第１載置部に設置する作業をより容易に行なうことができる。
【００６８】
請求項８に記載されたエアコン室外機の設置方法によれば、エアコン室外機を第１載置部に導入する際に第２載置部が取り付けられているものの、継足し用支柱はまだ取付けられていないので、従来の場合と比べるとエアコン室外機を第１載置部に設置する作業を容易に行なうことができる。
【図面の簡単な説明】
【図１】本発明の実施の形態に係るエアコン室外機の置台を示す斜視図である。
【図２】同実施の形態において、図１に示すエアコン室外機を用いたエアコン室外機の設置方法の一工程を示す部分斜視図である。
【図３】同実施の形態において、図２に示す工程の後に行なわれる工程を示す部分斜視図である。
【図４】同実施の形態において、図３に示す工程の後に行なわれる工程を示す斜視図である。
【図５】同実施の形態において、図４に示す工程の後に行なわれる工程を示す斜視図である。
【図６】同実施の形態において、図５に示す工程の後に行なわれる工程を示す斜視図である。
【図７】同実施の形態において、図６に示す工程の後に行なわれる工程を示す部分斜視図である。
【図８】同実施の形態において、図７に示す工程の後に行なわれる工程を示す斜視図である。
【図９】同実施の形態において、図８に示す工程の後に行なわれる工程を示す部分斜視図である。
【図１０】同実施の形態において、図９に示す工程の後に行なわれる工程を示す斜視図である。
【図１１】同実施の形態において、継足し用支柱を示す部分平面図である。
【図１２】同実施の形態において、図１１に示す断面線ＸＩＩ−ＸＩＩにおける部分断面図である。
【図１３】同実施の形態において、図１１に示す断面線ＸＩＩＩ−ＸＩＩＩにおける部分断面図である。
【図１４】同実施の形態において、継足し用支柱を下段支柱に取り付けた状態を示す部分断面図である。
【図１５】従来のエアコン室外機の置台を示す斜視図である。
【図１６】図１５に示すエアコン室外機を用いたエアコン室外機の設置方法の一工程を示す斜視図である。
【符号の説明】
２ａ，２ｂ，２ｃ，２ｄ　支柱、４ａ，４ｂ，４ｃ，４ｄ　横フレーム、６ａ，６ｂ，６ｃ，６ｄ　縦フレーム、８ａ，８ｂ，８ｃ，８ｄ　ベース、１０ａ，１２ａ　ボルト、１２ｂ　ナット、２２　下段支柱、２２ａ　長穴、３２　継足し用支柱、３２ａ　角穴、３２ｂ　突出部、３２ｃ　段差部、５１　室外機、６１　作業者。
【図１】
2004125195.tif 000003
【図２】
2004125195.tif 000004
【図３】
2004125195.tif 000005
【図４】
2004125195.tif 000006
【図５】
2004125195.tif 000007
【図６】
2004125195.tif 000008
【図７】
2004125195.tif 000009
【図８】
2004125195.tif 000010
【図９】
2004125195.tif 000011
【図１０】
2004125195.tif 000012
【図１１】
2004125195.tif 000013
【図１２】
2004125195.tif 000014
【図１３】
2004125195.tif 000015
【図１４】
2004125195.tif 000016
【図１５】
2004125195.tif 000017
【図１６】
2004125195.tif 000018